(57)【要約】【課題】  操作時及び閉じて保持する際の双方において安定使用が可能なコンピュータ保持装置等を提供すること。【解決手段】  ＰＣバッグ本体１０で覆われるコンピュータ１００はディスプレイと操作部及び／又は本体部とが連結部を支点に開閉する。コンピュータの支点近傍の一対の係止環１５，１５と使用者２００の首２０２にわたし掛けられるストラップ２０と、使用者の腰２０３に装着し操作部又は本体部の一部を載置可能な載置体３０とを設ける。ディスプレイを開いたコンピュータを載置体３０と首に掛けたストラップ２０との間で保持させる。さらに、腰に装着する係止体４０に対し、閉じ状態でコンピューターを掛止することが可能である。【選択図】    図１
2006034471.tif 000002
【特許請求の範囲】
【請求項１】
ディスプレイと操作部及び／又は本体部とが連結部を支点に開閉するコンピュータの支点近傍に当該コンピュータの幅方向に振り分けて取り付けられる一対の接続部と、当該各接続部に接続されて使用者の首にわたし掛けられるストラップと、使用者の腰に装着し前記コンピュータの操作部又は本体部の一部を載置可能な載置体とを設け、ディスプレイを開いたコンピュータを載置体と首に掛けたストラップとの間で保持させることを特徴とするコンピュータ保持装置。
【請求項２】
腰に装着する係止体をさらに有し、コンピューターの閉じ状態でコンピューターの支点側に前記係止体に対する連結体を設けたことを特徴とする請求項１記載のコンピュータ保持装置。
【請求項３】
前記コンピュータを覆うＰＣバッグ本体をさらに備え、前記接続部がＰＣバッグ本体に設けられていることを特徴とする請求項１又は２記載のコンピュータ保持装置。
【請求項４】
前記載置体がベルトに装着されていることを特徴とする請求項１〜３のいずれかに記載のコンピュータ保持装置。
【請求項５】
前記コンピュータを覆うＰＣバッグ本体をさらに備え、前記連結体が前記ＰＣバッグ本体に設けられていることを特徴とする請求項１〜４のいずれかに記載のコンピュータ保持装置。
【請求項６】
前記載置体の上面に摩擦シートを設けたことを特徴とする請求項１〜５のいずれかに記載のコンピュータ保持装置。
【請求項７】
前記コンピュータを覆うＰＣバッグ本体をさらに備え、このＰＣバッグ本体の解放側に底部を配向したポケットをこのバッグ本体の底面及び／又は平面に設けたことを特徴とする請求項１〜６のいずれかに記載のコンピュータ保持装置。
【請求項８】
前記コンピュータを覆うＰＣバッグ本体をさらに備え、このＰＣバッグ本体の解放側の底面に摩擦体を設けたことを特徴とする請求項１〜７のいずれかに記載のコンピュータ保持装置。
【請求項９】
前記コンピュータを覆うＰＣバッグ本体をさらに備え、当該ＰＣバッグはファスナーで３辺が開閉可能であり、バッグを閉じた状態で側部からケーブル類を挿通することの可能なスリットを有していることを特徴とする請求項１〜８のいずれかに記載のコンピュータ保持装置。
【請求項１０】
前記ＰＣバッグの平面から底面にわたり前記スリット及びケーブル類の一部を覆う着脱自在な側覆いを設けたことを特徴とする請求項９に記載のコンピュータ保持装置。
【請求項１１】
前記ストラップにケーブル類等を沿わせて覆うことの可能な着脱自在な覆いを前記ストラップに設けたことを特徴とする請求項１〜１０のいずれかに記載のコンピュータ保持装置。
【請求項１２】
前記載置体の身体装着側にネクタイ等を通過させる孔又は窪みを形成したことを特徴とする請求項１〜１１のいずれかに記載のコンピュータ保持装置。
【請求項１３】
請求項１〜１２のいずれかに記載のコンピュータ保持装置に用いる腰部装着具であって、前記載置体と前記係止体とを備えた腰部装着具。
【請求項１４】
請求項１〜１２のいずれかに記載のコンピュータ保持装置に用いるＰＣバッグであって、前記ストラップと前記接続部とを備えたＰＣバッグ。
【発明の詳細な説明】
【技術分野】
【０００１】
本発明は、コンピュータ保持装置並びにこれに用いる腰部装着具及びＰＣバッグ（以下、「コンピュータ保持装置等」という。）に関する。さらに詳しくは、首・肩等を利用してコンピュータの保持を容易にするコンピュータ保持装置等に関する。
【背景技術】
【０００２】
上述の如きコンピュータ保持装置等としては、例えば、次の特許文献１の如く、コンピュータをケースから取り出し、鞄の肩ヒモを首から吊り下げてコンピュータを支持するものが知られている。
【特許文献１】特開２００４−９７８０１号
【０００３】
しかし、鞄に固定しバランスをとったケース側ヒモに肩ヒモを固定し、その上にコンピュータを載せて利用するだけであるから、コンピュータの安定性は必ずしも十分でない。また、コンピュータを閉じて保持するときは、肩ヒモを利用して吊り下げるだけなので、その点でも安定性に改良の余地があった。
【発明の開示】
【発明が解決しようとする課題】
【０００４】
かかる従来の実情に鑑みて、本発明の第１の目的は、操作時に安定使用の可能なコンピュータ保持装置等を提供することにある。
【０００５】
本発明の第２の目的は、閉じて保持する際に安定するコンピュータ保持装置等を提供することにある。
【課題を解決するための手段】
【０００６】
上記目的を達成するため、本発明に係るコンピュータ保持装置の特徴は、ディスプレイと操作部及び／又は本体部とが連結部を支点に開閉するコンピュータの支点近傍に当該コンピュータの幅方向に振り分けて取り付けられる一対の接続部と、当該各接続部に接続されて使用者の首にわたし掛けられるストラップと、使用者の腰に装着し前記コンピュータの操作部又は本体部の一部を載置可能な載置体とを設け、ディスプレイを開いたコンピュータを載置体と首に掛けたストラップとの間で保持させることにある。
【０００７】
上記特徴に加え、腰に装着する係止体をさらに有し、コンピューターの閉じ状態でコンピューターの支点側に前記係止体に対する連結体を設けてもよい。
【０００８】
また、前記コンピュータを覆うＰＣバッグ本体をさらに備え、前記接続部がＰＣバッグ本体に設けられていてもよい。前記載置体はベルトに装着されることが望ましい。
【０００９】
前記コンピュータを覆うＰＣバッグ本体をさらに備え、前記連結体が前記ＰＣバッグ本体に設けられていてもよい。
【００１０】
前記載置体の上面に摩擦シートを設けることで、ＰＣバッグの滑りが抑制され、姿勢が更に安定する。前記コンピュータを覆うＰＣバッグ本体をさらに備え、このＰＣバッグ本体の解放側に底部を配向したポケットをこのバッグ本体の底面及び／又は平面に設けてもよい。また、前記コンピュータを覆うＰＣバッグ本体をさらに備え、このＰＣバッグ本体の解放側の底面に摩擦体を設けるとよい。
【００１１】
前記コンピュータを覆うＰＣバッグ本体をさらに備え、当該ＰＣバッグはファスナーで３辺が開閉可能であり、バッグを閉じた状態で側部からケーブル類を挿通することの可能なスリットを有するとよい。この場合、前記ＰＣバッグの平面から底面にわたり前記スリット及びケーブル類の一部を覆う着脱自在な側覆いを設けるとよい。
【００１２】
前記ストラップにケーブル類等を沿わせて覆うことの可能な着脱自在な覆いを前記ストラップに設けるとよい。また、前記載置体の身体装着側にネクタイ等を通過させる孔又は窪みを形成してもよい。
【００１３】
一方、コンピュータ保持装置に用いる腰部装着具の特徴は、前記載置体と前記係止体とを備えることにある。また、コンピュータ保持装置に用いるＰＣバッグの特徴は、前記ストラップと前記接続部とを備えることにある。
【発明の効果】
【００１４】
上記本発明に係るコンピュータ保持装置の特徴によれば、コンピュータの支点近傍と使用者の首にわたし掛けられるストラップとが接続され、、使用者の腰に装着された載置体上に前記コンピュータの操作部又は本体部の一部を載置するので、コンピュータは両者に支持される。これにより、コンピュータを開いた状態で安定して使用することが可能となった。
【００１５】
また、コンピューターの閉じ状態でコンピューターの支点側の連結体を腰に装着する係止体に係止するので、コンピュータを閉じた状態で安定的に使用することが可能となった。
【００１６】
本発明の他の目的、構成及び効果については、以下の発明の実施の形態の項から明らかになるであろう。
【発明を実施するための最良の形態】
【００１７】
次に、適宜添付図面を参照しながら、本発明をさらに詳しく説明する。
【００１８】
図１はコンピューター保持装置１の使用例を示し、コンピューター保持装置１は、ＰＣバッグ２と腰部装着具３とを備えている。ＰＣバッグ２は、ノート型パーソナルコンピューター等のＰＣ１００を収納するＰＣバッグ本体１０と、このＰＣバッグ本体１０の両側に連結して人２００の首部２０２に掛けるストラップ２０とを備えている。一方、腰部装着具３は載置体３０と、掛止体４０と、これらを腰部２０３に装着するベルト５０とを備えている。また、人２００の頭部２０１には目にモニタ画面を撮すＨＭＤ１１０（ヘッド、マウンテッド、ディスプレイ）を装着してあり、ケーブル１１１によってＰＣ１００と接続されている。一方、他のストラップにはクーラー本体７１に収納したモーターから送気管７３を介してＰＣ１００に風を送りＰＣ１００を冷却する。クーラー本体７１はストラップ７２によりストラップ２０に固定されている。
【００１９】
ここで、本発明に用いられるＰＣ１００は、図１１の如くディスプレイ１０１と操作部又は本体部１０２が連結部１０３を介して開閉自在となっている。ＰＣ１００は４角に斜めに取り付けられるＰＣバッグ本体１０の固定具１３によりＰＣバッグ本体１０に固定される。
【００２０】
図３，４に示すように、ベルト５０はナイロンコーディロイ、皮革、人工皮革等の材料で形成された芯部５１の両端に連結具５２ａ，５２ｂを取り付け、さらに調整部５３等と連携して長さ調節自在となるように構成してある。載置体３０は台部３１の上面にゴムシート等のフリクション層３２を貼り付け、さらにアングル３３を介してリベット３４ａ，固定ネジ３４ｂにより台部３１をベルト５０に固着してある。台部３１の身体側には窪み又は貫通孔によるネクタイ孔３６が形成されている。フリクション層３２により載置体３０の上面である載置面３２ａは滑り止め作用が付与されている。
【００２１】
一方、図３，５に示す掛止体４０は、芯部５１に巻き付けられて固定位置が調整自在である。芯部５１を取り囲むように巻き付けられた覆い４１の一側にフック４３を支持するＰＣバッグ２が固定され、覆い４１に形成した孔４１ａをフック４３を貫通させて露出させている。なお、覆い４１の内側と外側とにはそれぞれフックテープ４４ａ，ループテープ４４ｂを設け、覆い４１が離脱しないように固定してある。覆い４１の身体側には弾性部材よりなるクッション４５が装着され、フック４３へのストラップ２０及びＰＣ１００の掛止状態で負担が腰部２０３に掛からぬように構成されている。
【００２２】
図６に示すＰＣバッグ本体１０は、全体が上記材料のいずれかで形成され、背面１１ｄを除く少なくとも腰部装着具３がファスナー１２における一対の把手１２ａ，１２ａを介して開閉自在である。開状態において背面１１ｄを介して底面１１ａと平面１１ｃとが離反し、内部のＰＣ１００が操作可能となる。底面１１ａには一対の取付テープ１５ａ，１５ａを介して一対の係止環１５，１５が背面１１ｄ側に取り付けられる。さらに係止環１５，１５より狭幅で平面１１ｃには一対の取付テープ１６ａ，１６ａを介して一対の係止環１６，１６が背面１１ｄ側に取り付けられる。
【００２３】
底面１１ａの前面１１ｂ側にはポケット１７が取り付けられる。このポケット１７は例えばゴム素材等のフリクション部材で構成される。ポケット１７は背面１１ｄ側において解放され、上部からカード類や板材１７ａを挿入可能である。背面１１ｄにおける底面１１ａ側には把手１４が固定され、ＰＣ１００の支点側で安定してＰＣ１００を把持することが可能となる。ＰＣバッグ本体１０の側部１１ｅにおける底面１１ａ側にはＰＣ１００と接続されるアンテナ、ケーブルやチューブ等のケーブル類を挿通することの可能なスリット１８ａ，スリット１８ｂを複数形成してある。底面１１ａ，平面１１ｃには必要に応じてループテープ１９ａ−ｃが取り付けられる。
【００２４】
ストラップ２０は図１，９，１０に示すように、芯部２１とこれを取り囲む覆い２２と、芯部２１の各先端に取り付けられ接続部としての各係止環１５と接続される連結フック２４とを有している。芯部２１は図示省略するが、周知の手段により長さ調整が自在である。調整は首から掛けた状態で行える機構が望ましい。芯部２１，覆い２２は、上記材料のいずれかで構成される。覆い２２はその両端に設けられたフックテープ２３ａ，ループテープ２３ｂによりケーブル１１１を取り囲んで芯部２１に固定される。
【００２５】
次に、主として図１、２、４を参照しながら、コンピューター保持装置１の使用方法について説明する。まず、ベルト５０の長さ調整をし且つ掛止体４０の位置を調整した腰部装着具３を腰部２０３に巻き付けて固定する。あらかじめ、ネクタイ２１０をネクタイ孔３６に挿通させると共に、覆い２２内にディスプレイ１０１や送気管７３を通過させてＰＣ１００と接続又は近傍まで誘導する。その後、ＰＣ１００を装着したＰＣバッグ本体１０を開き、載置体３０の上面である載置面３２ａに底面１１ａ側を載置し、さらに係止環１５に連結し長さ調整のなされたストラップ２０を首部２０２に掛ける。これによりＰＣ１００が開かれた状態で腹部２０４における図４の符号前位置２ａに位置することとなる。載置面３２ａは底面１１ａ、特にポケット１７を設けた場合にはポケット１７の素材と連携してフリクション効果が発揮され、載置体３０上から滑り落ちにくくなる。ＰＣ１００がＰＣバッグ本体１０にフィットしにくい場合は板材１７ａをポケット１７に挿入することで、載置体３０上に対する載置姿勢が安定する。ＰＣバッグ２は腹部２０４の正面である必要はなく、符号斜横位置２ｂに示すようにやや体の斜め前に位置させて使用しても良い。
【００２６】
一方、ＰＣ１００を閉じて使用する場合には、底面１１ａと平面１１ｃとを閉じてファスナー１２を閉める。そして、ストラップ２０は首部２０２に掛けたままで１６，係止環１６を掛止体４０の４３，フック４３に掛ける。係止環１６は先端側が幅狭になっているので、掛けると重力で姿勢が安定する。また、ケーブル類はストラップ２０に誘導されて必要なところに配備される。
【００２７】
図１１（ａ）に示すように、ＰＣバッグ本体１０のフック４３に対する掛止状態で、側覆い６０によりスリット１８ａ等を覆うことで、水や異物の侵入を抑制することができる。側覆い６０にはフックテープ１９ｄ，１９ｅが設けられ、ＰＣバッグ本体１０側のループテープ１９ａ，１９ｂと相まって側覆い６０をＰＣバッグ本体１０に選択的に固定することができる。これに対し、側覆い６０を使用しない場合は、同図（ｂ）の如く、側覆い６０をループテープ１９ｂ、１９ｃを利用してＰＣバッグ本体１０の同じ側に仮固定すればよい。
【００２８】
最後に本発明の別実施形態について説明する。
【００２９】
上記実施形態では載置体３０を腰部装着具３の一部として構成した。しかし、図１３に示すように載置体３０をベルト２２０とは別体とし、ベルト２２０に着脱自在に構成しても良い。同実施形態では、ベルト固定具３７が基部３７ａに対しベルト２２０の受け入れ部を有する開閉部３７ｂをヒンジ３７ｃで開閉自在に支持するとよい。台部３１はベルト固定具３７にリベット３８ａ，３８ｂにより固定されている。なお、掛止体４０は当初からセットされたベルト５０に限らず市販のベルト２２０に取り付けることができる。
【００３０】
上記実施形態では、ＰＣ１００をＰＣバッグ本体１０に収納してコンピューター保持装置１を構成した。しかし、ＰＣバッグ本体１０を用いずに、ＰＣ１００の連結部１０３近傍に接続具である係止環１５，１５を一対設け、ストラップ２０により首部２０２に掛けるように実施しても構わない。
【００３１】
上記実施形態では、台部３１の上面及びＰＣバッグ本体１０の底面１１ａに摩擦体３１，１７を設けた。しかし、台部３１の上面及び底面１１ａにそれぞれフックテープやループテープよりなる面ファスナーを設けてもよく、また、両者に互いに嵌合する凹凸を設けてもよい。
【産業上の利用可能性】
【００３２】
本発明に係るコンピュータ保持装置並びにこれに用いる腰部装着具及びＰＣバッグは、ウェアラブルコンピューティングのためのコンピューター保持のために利用することができる。
【図面の簡単な説明】
【００３３】
【図１】コンピュータ保持装置の使用例を示す斜視図である。
【図２】コンピュータ保持装置の使用例を示す平面図である。
【図３】腰部装着具の正面図である。
【図４】図３のＡ−Ａ断面図である。
【図５】図３のＢ−Ｂ断面図である。
【図６】ＰＣバッグ本体の底面図である。
【図７】ＰＣバッグ本体の平面図である。
【図８】ＰＣバッグの斜視図である。
【図９】ＰＣバッグとストラップとの連結部である。
【図１０】図９のＣ−Ｃ断面図である。
【図１１】コンピュータの斜視図である。
【図１２】ＰＣバッグを閉じた状態での縦断面図であり、（ａ）は側覆いを装着した状態、（ｂ）は側覆いを外した状態を示す図である。
【図１３】載置体をベルトに装着した状態を示す縦断面図である。
【符号の説明】
【００３４】
１：コンピュータ保持装置、２：ＰＣバッグ、２ａ：前位置、２ｂ：斜横位置、２ｃ：収納位置、３：腰部装着具、１０：ＰＣバッグ本体、１１ａ：底面、１１ｂ：前面、１１ｃ：平面、１１ｄ：背面、１１ｅ：側部、１２：ファスナー、１３：固定具、１４：把手、１５：係止環、１５ａ：取付テープ、１６：係止環、１６ａ：取付テープ、１７：ポケット、１７ａ：板材、１８ａ，ｂ：スリット、１９ａ−ｃ：ループテープ、１９ｄ，ｆ：フックテープ、２０：ストラップ、２１：芯部、２２：覆い、２３：面ファスナー、２３ａ：フックテープ、２３ｂ：ループテープ、 ２４：連結フック、３０：載置体、３１：台部、３２：フリクション層、３２ａ：載置面、３３：アングル、３４ａ：リベット、３４ｂ：固定ネジ、３６：ネクタイ孔、３７：ベルト固定具、３７ａ：基部、３７ｂ：開閉部、３７ｃ：ヒンジ、３８：アングル、３８ａ、ｂ：リベット、４０：掛止体、４１：覆い、４２：フック基部、４３：フック、４４：面ファスナー、４４ａ：フックテープ、４４ｂ：ループテープ、４５：クッション、５０：ベルト、５１：芯部、５２ａ、５２ｂ：連結具、５３：調整部、６０：側覆い、７０：クーラー、７１：クーラー本体、７２：ストラップ、７３：送気管、１００：ＰＣ、１０１：ディスプレイ、１０２：本体部、１０３：連結部、１１０：ＨＭＤ、１１１：ケーブル、２００：人，２０１：頭部、２０２：首部、２０３：腰部、２０４：腹部、２０５：腰後側部、２１０：ネクタイ、２２０：ベルト
【図１】
2006034471.tif 000003
【図２】
2006034471.tif 000004
【図３】
2006034471.tif 000005
【図４】
2006034471.tif 000006
【図５】
2006034471.tif 000007
【図６】
2006034471.tif 000008
【図７】
2006034471.tif 000009
【図８】
2006034471.tif 000010
【図９】
2006034471.tif 000011
【図１０】
2006034471.tif 000012
【図１１】
2006034471.tif 000013
【図１２】
2006034471.tif 000014
【図１３】
2006034471.tif 000015